【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
挿入部品（５００）を軟組織にらせん状に挿入するためのらせん挿入具（１、１’、１”、１’’’）であって、
ａ．ハウジング組立体（１０，２０，１００，３００，３００Ａ，３００Ｂ，７１０，７２０）と、
ｂ．前記ハウジング組立体によって機能的関係で保持され、共に軟組織にらせん輸送されるための挿入部品（５００）が装填されるように適用された中空らせん挿入部品ガイド（３１，２１０）と、
ｃ．前記中空らせん挿入部品ガイドを軟組織に向かって回転するよう駆動するらせん挿入部品ガイド駆動（１３，３３，４３，４４，４９，５０；１００，１１０．２２０，２３０；２５０，４２０，４７０；７０９，７３４，７３８，７３９，７４０，７８１）と、
ｄ．挿入部品が前記中空らせん挿入部品ガイド（３１，２１０）内に存在するときは、挿入部品を軟組織における意図された移植位置に留置したまま挿入ガイドを取り除くガイド除去装置（１３，２８，３３，４１，４３，４４，４５，４９，５０，５１，５２，５３，５４，５５；２５０，４２０，４３０，４７０；７０９，７８１，７８２）と、
を含むことを特徴とするらせん挿入具。
【請求項２】
前記らせん挿入部品ガイド駆動はカム面（１１０）を有し、相対的に移動する部品（２２０，３００）に取り付けられたカムフォロア（２３０）がカム面を追従すると、ガイド駆動は挿入ガイドを回転及び並進させるように駆動することを特徴とする請求項１に記載のらせん挿入具。
【請求項３】
前記らせん挿入部品ガイド駆動のカム面（１１０）はハウジング部品（１００）に形成されたらせん溝部に配置され、カムフォロア（２３０）は別のハウジング部品（２２０，３００）に取り付けられることを特徴とする請求項２に記載のらせん挿入具。
【請求項４】
前記らせん挿入部品ガイド駆動において、中空らせん挿入部品ガイド（３１，２１０）を軟組織に向かって駆動するために、操作者によって別のハウジング組立体がハウジング部品（１００）と相対的に回転され、挿入ガイドを回転及び並進するよう誘導するようにカム面（１１０）はカムフォロア（２３０）を案内することを特徴とする請求項３に記載のらせん挿入具。
【請求項５】
前記らせん挿入部品ガイド駆動は、ラック（１３）とピニオン（４３）の装置を含んで構成されることを特徴とする請求項１に記載のらせん挿入具。
【請求項６】
上記ラックは細長の表面（７０９）を有し、前記ピニオン（７８１）は前記細長の面と摩擦的に係合する歯車であることを特徴とする請求項５に記載のらせん挿入具。
【請求項７】
前記ピニオン（７８１）はゴム素材から構成されることを特徴とする請求項６に記載のらせん挿入具。
【請求項８】
前記らせん挿入部品ガイド駆動は、２つのハウジング組立体（１０，２０；１００，３００；７１０，７２０）間の定義された相対的な並進運動を、ガイドに対する定義された並進的かつ回転的な運動に変換することを特徴とする請求項１に記載のらせん挿入具。
【請求項９】
前記ラックとピニオンの装置（１３，４３；７０９，７８１）は、定義された相対的な並進的かつ回転的な運動をガイドに与えるギア列（３３，４４，４５，４９，２５０，４２０，４３０，４７０）を駆動するために用いられることを特徴とする請求項５〜７のいずれか１項に記載のらせん挿入具。
【請求項１０】
前記らせん挿入部品ガイド駆動を構成するらせんガイド装置（７４０）は定義された相対的な並進的かつ回転的な動作をガイドに与えることを特徴とする請求項１に記載のらせん挿入具。
【請求項１１】
前記らせんガイド装置（７４０）はらせん状の管（７３７）を含んで構成されるらせんガイド装置であり、ハウジング組立体（７１０）に対して静止保持されることを特徴とする請求項１０に記載のらせん挿入具。
【請求項１２】
前記らせんガイド装置は、駆動系（１３，２８，３３，４１，４３，４４，４５，４９，５０，５１，５２，５３，５４，５５；２５０，４２０，４３０，４７０）を含んで構成され、該駆動系は挿入ガイドを取り除く際に軟組織における挿入部品（５００）の位置を維持することを特徴とする請求項１１に記載のらせん挿入具。
【請求項１３】
前記らせんガイド装置（７４０）は、異なる特徴を有する他のらせんガイド装置と交換可能とするために着脱可能であることを特徴とする請求項１０に記載のらせん挿入具。
【請求項１４】
前記らせんガイド装置（７４０）は、クリップ又は固定具（７６０，７７０）で容易に取り外して他の装置を取り付けられるように固定されることを特徴とする請求項１０に記載のらせん挿入具。
【請求項１５】
前記ガイド除去装置（１３，２８，３３，４１，４３，４４，４５，４９，５０，５１，５２，５３，５４，５５；２５０，４２０，４３０，４７０）はギアで駆動されることを特徴とする請求項１に記載のらせん挿入具。
【請求項１６】
前記ガイド除去装置は、中空らせん挿入部品ガイドを軟組織から除去するための最適な機能を保証するために、操作者によって選択的に係合されることが可能な遊び歯車（４５，４３０）を含んで構成されることを特徴とする請求項１５に記載のらせん挿入具。
【請求項１７】
前記ガイド除去装置は、ラックとピニオンの装置（１３，４３；７０９，７８１）によって駆動されることを特徴とする請求項１０に記載のらせん挿入具。
【請求項１８】
前記ラック（７０９）は細長の面からなり、前記ピニオン（７８１）は前記細長の面を摩擦的に係合する歯車であることを特徴とする請求項１７に記載のらせん挿入具。
【請求項１９】
前記ガイド除去装置はガイド装置（７４０）によって直接的又は間接的に駆動されることを特徴とする請求項１０に記載のらせん挿入具。
【請求項２０】
前記ガイド装置（７４０）は、ガイド除去装置を駆動する駆動ギア（３３，２５０）が取り付けられたガイド（３１）を駆動することを特徴とする請求項１９に記載のらせん挿入具。
【請求項２１】
前記ガイド装置（７４０）は、ガイド装置が遠位ハウジングに伴う相対的な回転に抗するように、対応する溝部（７１４）に係合する少なくとも１つの羽根部（７４３）を含んでなることを特徴とする請求項１９または２０に記載のらせん挿入具。
【請求項２２】
前記ガイド装置は、固定装置によって遠位ハウジング（７１０）と非回転係合するように固定されることを特徴とする請求項２０に記載のらせん挿入具。
【請求項２３】
挿入部品（５００）を軟組織にらせん状に挿入するための挿入具（１，１’、１”、１’’’）であって、
（ａ）ハウジング組立体（１２，２２、；１００，３００；７１０，７２０）と、
（ｂ）中空らせん針（３１）と、
（ｃ）前記らせん針（３１）の近位側に取り付けられ、らせん針を軟組織に回転式に挿入するためにハウジング組立体（１０）内において軸方向に保持される第１ハイポイドギア歯車（３３）と、
（ｄ）前記第１ハイポイドギア歯車（３３）に対応し、ハウジング組立体内においてアキシアル位に保持され、軟組織に回転式かつ並進式に駆動される中空らせん針を用いて、埋め込み型部品を前記中空針を通って軟組織に挿入するように構成される埋め込み型部品挿入機構を駆動する第２ハイポイドギア歯車（４９）と、
から構成されることを特徴とするらせん挿入具。
【請求項２４】
前記埋め込み型部品挿入機構の駆動はラックとピニオンの機構によって行われることを特徴とする請求項２３に記載のらせん挿入具。
【請求項２５】
挿入部品を軟組織にらせん状に挿入するための方法であって、
ａ．請求項１に記載のらせん挿入具を用いて、中空らせん挿入部品ガイドを前記らせん挿入具に装填し、
ｂ．中空の挿入ガイドに挿入部品がまだ装填されていない場合、中空らせん挿入部品ガイドに挿入部品を装填し、
ｃ．挿入具が挿入に好ましい軸に沿って配向されるように、らせん挿入具を軟組織に対して配置し、
ｄ．中空らせん挿入部品ガイドが軟組織に挿入されるようにらせん挿入具を作動し、
ｅ．挿入部品が挿入部品ガイド内に存在する場合、挿入部品を軟組織における意図された移植位置に留置したまま挿入部品ガイドをらせん状に回転して除去するガイド除去装置を作動する
ステップを含む方法。
【請求項２６】
らせん状に形成された一端と、略直線状に形成されたもう一端（４２）を有する中空針であることを特徴とする、請求項１に記載のらせん挿入具と共に用いられる中空針挿入ガイド（３１，２１０）。
【請求項２７】
前記中空針挿入ガイド内には挿入部品が予め装填されることを特徴とする請求項２６に記載の中空針挿入ガイド。
【請求項２８】
前記挿入部品は、形状記憶合金及び電気活性高分子からなる群から選択されることを特徴とする請求項２７に記載の中空針挿入ガイド。
【請求項２９】
前記挿入部品と中空針挿入ガイドの間には流体が配置されることを特徴とする請求項２８に記載の中空針挿入ガイド。
【請求項３０】
前記流体は消毒液であることを特徴とする請求項２９に記載の中空針挿入ガイド。
【請求項３１】
前記中空針挿入ガイドは使い捨てであることを特徴とする請求項２６に記載の中空針挿入ガイド。